(57)【要約】【課題】光源による室内の温度の上昇を抑制することができる技術を提供する。【解決手段】レーザ光を出射する光源と、室内に配置され、レーザ光を照明光として放出する照明用光学系と、一端が光源に接続され、他端が照明用光学系に接続され、光源から照明器具にレーザ光を伝送する光伝送ラインと、を備え、光源は、光源から熱が発せられた場合であっても照明用光学系が配置された室内の温度を上昇させることがないように、屋外に配置されている。【選択図】図１
2016154124.tif 000002
【特許請求の範囲】
【請求項１】
レーザ光を出射する光源と、
室内に配置され、前記レーザ光を照明光として放出する照明用光学系と、
一端が前記光源に接続され、他端が前記照明用光学系に接続され、前記光源から前記照明器具に前記レーザ光を伝送する光伝送ラインと、を備え、
前記光源は、前記光源から熱が発せられた場合であっても前記照明用光学系が配置された室内の温度を上昇させることがないように、室外に配置されている
照明システム。
【請求項２】
１つの前記光源から複数の前記照明用光学系に前記レーザ光を分配する
請求項１に記載の照明システム。
【請求項３】
前記照明用光学系は、前記照明光として、前記レーザ光を励起光として蛍光体を励起させることで得られた可視光を放出する
請求項１又は２に記載の照明システム。
【請求項４】
前記照明用光学系は、前記レーザ光を等方的に散乱させる散乱体を備えている
請求項１ないし３のいずれかに記載の照明システム。
【請求項５】
前記光伝送ラインは光ファイバ又は導波管である
請求項１ないし４のいずれかに記載の照明システム。
【請求項６】
前記照明用光学系の点灯、消灯を制御する照明制御部が設けられている
請求項１ないし５のいずれかに記載の照明システム。
【発明の詳細な説明】
【技術分野】
【０００１】
本発明は照明システムに関する。
【背景技術】
【０００２】
従来より、電源部と、光源と、電源部及び光源の間で電気（電流）を伝送する電気配線と、を備える照明システムが提案されている（特許文献１）。このような照明システムでは、例えば建物が複数の部屋を有する場合、各部屋に光源がそれぞれ配置されており、電源部から電気配線を介して光源に電流が供給されて光源が発光することで照明光が放出されるように構成されている。
【先行技術文献】
【特許文献】
【０００３】
【特許文献１】特開２０１４−１４６５３３号公報
【発明の概要】
【発明が解決しようとする課題】
【０００４】
しかしながら、光源が発光する際、光源から熱が発せられることがある。このため、光源が配置された部屋の室温が上昇することがある。
【０００５】
本発明は、上記課題を解決し、光源による室内の温度の上昇を抑制することができる技術を提供することを目的とする。
【課題を解決するための手段】
【０００６】
本発明の一態様によれば、
レーザ光を出射する光源と、
室内に配置され、前記レーザ光を照明光として放出する照明用光学系と、
一端が前記光源に接続され、他端が前記照明用光学系に接続され、前記光源から前記照明器具に前記レーザ光を伝送する光伝送ラインと、を備え、
前記光源は、前記光源から熱が発せられた場合であっても前記照明用光学系が配置された室内の温度を上昇させることがないように、室外に配置されている照明システムが提供される。
【発明の効果】
【０００７】
本発明によれば、光源による室内の温度の上昇を抑制することができる。
【図面の簡単な説明】
【０００８】
【図１】本発明の一実施形態にかかる照明システムを備える建物の概略図を示す。
【発明を実施するための形態】
【０００９】
＜本発明の一実施形態＞
（１）照明システムの構成
以下に、本発明の一実施形態にかかる照明システムについて、主に図１を参照しながら説明する。
【００１０】
図１に示すように、建物１１は複数（例えば３つ）の室（部屋）１０Ａ〜１０Ｃを有している。各室１０Ａ〜１０Ｃ内にはそれぞれ、照明用光学系１が配置されている。照明用光学系１は、自ら発光するものではなく、受光した光を適当に散乱させる光学系である。従って、照明用光学系１は発熱することはない。
【００１１】
照明用光学系１は、受光した光（後述の光源２から出射されて後述の光伝送ライン３を伝送してきたレーザ光）を照明光として放出（散乱）するように構成されている。具体的には、照明用光学系１は、受光した光を励起光にして蛍光体を励起させ、その結果得られた可視光（蛍光、例えば白色光）を照明光として放出（散乱）するように構成されている。
【００１２】
照明用光学系１は、受光した光を等方的に散乱させる散乱体を備えている。散乱体としては、例えば鏡やスリガラスを用いることができる。散乱体は、照明光が放出される箇所よりも上流側の後述の光伝送ライン３上に設けられている。散乱体は、照明光が放出される箇所の周囲の光伝送ライン３上に設けられていることが好ましい。散乱体は、例えば散乱体により散乱された光を励起光にすることができる位置に設けられている。つまり、散乱体は、照明用光学系１が受光した光が散乱体を透過した後に蛍光体を励起することができる位置に設けられている。
【００１３】
各室１０Ａ〜１０Ｃ外には、レーザ光を出射する所定個数（例えば１つ）の光源２が配置されている。光源２は、自ら発光するものであり、発光することで熱を発する（発熱する）ことがある。光源２は、後述のスイッチ４からの入力に応じて、出射されるレーザ光の量（総光出力）を適宜変更することができるように構成されていることが好ましい。光源２は、照明用光学系１と空間的に隔離された箇所に配置されている。つまり、光源２は、発熱した場合であっても、照明用光学系１が配置された各室１０Ａ〜１０Ｃ内の温度を上昇させることがないように、室１０Ａ〜１０Ｃ外（例えば屋外）に配置されている。
【００１４】
照明用光学系１と光源２とは、光伝送手段としての光伝送ライン３により繋がれている。つまり、光伝送ライン３の一端が照明用光学系１に接続され、光伝送ライン３の他端が光源２に接続されている。光伝送ライン３は、光源２から出射されたレーザ光を照明用光学系１に伝送するように構成されている。つまり、光伝送ライン３は、光源２からレーザ光を入射し、照明用光学系１にレーザ光を出射するように構成されている。光伝送ライン３としては、例えば光ファイバ、導波管を用いることができる。
【００１５】
光伝送ライン３として、例えば光分配構造（分岐構造）を有する光伝送ライン３が用いられることが好ましい。つまり、光伝送ライン３は、１つの光源２から複数の照明用光学系１にレーザ光を分配可能なように構成されていることが好ましい。
【００１６】
光伝送ライン３上には、照明用光学系１の点灯（オン）、消灯（オフ）等を制御する照明制御部としてのスイッチ４が設けられている。スイッチ４は、例えば複数の照明用光学系１の点灯、消灯等を一括制御するように構成されている。スイッチ４は、例えば光源２から出射されるレーザ光の照明用光学系１への進入、遮断を制御するように構成されている。なお、スイッチ４は、例えば光源２からのレーザ光の出射の開始、停止を制御するように構成されていてもよい。また、スイッチ４は、光源２から出射されるレーザ光の量を制御することができるように構成されていることが、より好ましい。
【００１７】
主に、照明用光学系１と、光源２と、光伝送ライン３と、により照明システムが構成される。なお、スイッチ４を照明システムに含めて考えてもよい。
【００１８】
上述の照明システムでは、スイッチ４がオン状態になると、光源２から照射されたレーザ光が光伝送ライン３に入射して光伝送ライン３内を伝送し、照明用光学系１に出射される。そして、照明用光学系１が受光したレーザ光が照明用光学系１が備える散乱体を通過して散乱し、散乱したレーザ光を励起光として蛍光体を励起させて可視光を得て、この可視光を照明光として放出する。
【００１９】
（２）本実施形態にかかる効果
本実施形態によれば、以下に示す１つまたは複数の効果を奏する。
【００２０】
（ａ）照明用光学系１が配置された室１０Ａ〜１０Ｃ内の温度を上昇させることがないように、光源２を室１０Ａ〜１０Ｃ外（例えば屋外）に配置することで、光源２がレーザ光を出射している際に発熱した場合であっても、光源２が発する熱により室温が上昇することを抑制することができる。
【００２１】
これに対し、例えば室内に光源が配置された従来の照明システムでは、光源が発光している際に発熱した場合、光源が発する熱により室温が上昇することがある。
【００２２】
（ｂ）本実施形態にかかる発明は、例えば一定の温度に維持する必要がある部屋の照明に用いられる場合に有効である。例えば、ビニルハウス等の照明システムに用いられる場合に有効である。また、本実施形態にかかる発明は、例えば低温に維持する必要がある部屋の照明システムに用いられる場合に特に有効である。具体的には、冷房等により冷却されている（冷房で冷却される可能性のある）部屋（例えば冷蔵室）の照明システムに用いられる場合に特に有効である。
【００２３】
（ｃ）１つの光源２から複数の照明用光学系１にレーザ光を分配可能に構成することで、例えば建物１１が有する室（部屋）の数が多い場合であっても、室ごとに光源２を配置する必要がなくなり、光源２の数を低減することができる。例えば、建物１１が有する室の数によらずに、光源２の数を１つにすることができる。従って、例えば各室に光源が配置される場合に比べて照明システムの設備費用を低減することができる。また、光源２が故障した場合、光源２ごとに修理や交換を行う必要があるが、光源２の数が低減されることで、光源２の修理や交換にかかる時間や費用を低減することができる。
【００２４】
これに対し、例えば複数の部屋を有する建物において、各部屋ごとに光源が配置された従来の照明システムでは、部屋数が多くなるほど、必要な光源の数も多くなり、照明システムの設備費用が嵩むことがある。さらに、光源の数が多くなると、例えば光源が故障した場合の光源の修理や交換にかかる時間や費用が増加することがある。
【００２５】
（ｄ）散乱体を設けることで、蛍光体から放出される照明光を周囲に均等に散乱させることができる。
【００２６】
＜他の実施形態＞
以上、本発明の一実施形態を具体的に説明したが、本発明は上述の実施形態に限定されるものではなく、その要旨を逸脱しない範囲で種々変更可能である。
【００２７】
上述の実施形態では、照明用光学系１が散乱体により散乱されたレーザ光を励起光として蛍光体を励起する場合について説明したが、これに限定されない。例えば、照明用光学系１は、光源２から出射されたレーザ光を受光し、このレーザ光を励起光として蛍光体を励起させて可視光を得た後、この可視光を散乱体により散乱させて照明光として放出するように構成されていてもよい。つまり、照明用光学系１は、散乱体を通過する前のレーザ光を励起光とするように構成されていてもよい。
【００２８】
上述の実施形態では、スイッチ４が複数の照明用光学系１の点灯、消灯等を一括制御する場合について説明したが、これに限定されない。例えば、スイッチ４は、複数の照明用光学系１の点灯、消灯等を個別に制御するように構成されていてもよい。
【００２９】
上述の実施形態では、１つの建物１１が複数の室１０Ａ〜１０Ｃを有し、各室１０Ａ〜１０Ｃ内にそれぞれ照明用光学系１が配置される場合について説明したが、これに限定されない。例えば、１つの室１０Ａ（または１０Ｂ，１０Ｃ）に複数の照明用光学系１が配置され、１つの光源２が照明用光学系１が配置された部屋と空間的に隔離された箇所（例えば室外や屋外）に配置されている場合であっても、本願発明を適用することができ、上記（ａ）〜（ｃ）の効果を得ることができる。
【００３０】
また、例えば各室１０Ａ〜１０Ｃごとに照明用光学系１を設置してもよい。つまり、各室１０Ａ〜１０Ｃごとにそれぞれ、光源２、光伝送ライン３、スイッチ４が配置されていてもよい。この場合、建物１１に複数の光源２が配置されることになる。これらの光源２はそれぞれ、配線やメンテナンスの容易性の観点から、同一の箇所に配置されることが好ましい。なお、複数の光源２はそれぞれ異なる場所に配置されていてもよい。
【００３１】
＜本発明の好ましい態様＞
以下に、本発明の好ましい態様について付記する。
【００３２】
［付記１］
本発明の一態様によれば、
レーザ光を出射する光源と、
室内に配置され、前記レーザ光を照明光として放出する照明用光学系と、
一端が前記光源に接続され、他端が前記照明用光学系に接続され、前記光源から前記照明器具に前記レーザ光を伝送する光伝送ラインと、を備え、
前記光源は、前記光源から熱が発せられた場合であっても前記照明用光学系が配置された室内の温度を上昇させることがないように、室外に配置されている照明システムが提供される。
【００３３】
［付記２］
付記１の照明システムであって、好ましくは、
１つの前記光源から複数の前記照明用光学系に前記レーザ光を分配する。
【００３４】
［付記３］
付記１又は２の照明システムであって、好ましくは、
前記照明用光学系は、前記照明光として、前記レーザ光を励起光として蛍光体を励起させることで得られた可視光を放出する。
【００３５】
［付記４］
付記１ないし３のいずれかの照明システムであって、好ましくは、
前記照明用光学系は、前記レーザ光を等方的に散乱させる散乱体を備えている。
【００３６】
［付記５］
付記１ないし４のいずれかの照明システムであって、好ましくは、
前記光伝送ラインは光ファイバ又は導波管である。
【００３７】
［付記６］
付記１ないし５のいずれかの照明システムであって、好ましくは、
前記照明用光学系の点灯、消灯を制御する照明制御部が設けられている。
【符号の説明】
【００３８】
１            照明用光学系
２            光源
３            光伝送ライン
【図１】
2016154124.tif 000003